(57)【要約】【課題】  高価な圧力容器でなく単なる貯蔵容器の使用が可能となって全体的なコストダウンが図れる水消火栓設備用付属の泡消火機器を得る。【解決手段】  放水器具格納箱２内の消火栓（弁）１の二次側に取り付け可能なラインプロポーショナー混合器５と、このラインプロポーショナー混合器５内に設けた泡消火剤原液流入用オリフイスと、このオリフイスから導出したピックアップチューブ８と、このピックアップチューブ８によりラインプロポーショナー混合器５と接続可能でかつ放水器具格納箱２内に後付けで収納可能な泡消火剤原液貯蔵容器１０とからなり、ラインプロポーショナー混合器５は消火栓使用時に前記オリフイスにより負圧を生じさせてピックアップチューブ８により泡消火剤原液を水に対して０．５〜３．０％の範囲内の濃度で比例混合させるようにしてなる。【選択図】    図１
2005218474.tif 000002
【特許請求の範囲】
【請求項１】
水消火栓設備における放水器具格納箱内の消火栓（弁）の二次側に取り付け可能なラインプロポーショナー混合器と、このラインプロポーショナー混合器内に設けた泡消火剤原液流入用オリフイスと、このオリフイスから導出したピックアップチューブと、このピックアップチューブにより前記ラインプロポーショナー混合器と接続可能でかつ前記放水器具格納箱内に後付けで収納可能な泡消火剤原液貯蔵容器とからなり、
前記ラインプロポーショナー混合器は消火栓使用時に前記オリフイスにより負圧を生じさせて前記ピックアップチューブにより泡消火剤原液を水に対して０．５〜３．０％の範囲内の濃度で比例混合させるようにしたことを特徴とする水消火栓設備用付属の泡消火機器。
【請求項２】
水消火栓設備における放水器具格納箱内の消火栓（弁）の二次側に取り付け可能な圧入プロポーショナー混合器と、この圧入プロポーショナー混合器内に設けた泡消火剤原液流入用オリフイスと、このオリフイスから導出したチューブと、このチューブにより前記圧入プロポーショナー混合器と接続可能でかつ前記放水器具格納箱内に後付けで収納可能な泡消火剤原液が加圧状態で貯蔵される蓄圧式消火器具とからなり、
前記圧入プロポーショナー混合器は消火栓使用時に前記蓄圧式消火器具からの放出圧力を前記オリフイスにより制御して泡消火剤原液を水に対して０．５〜３．０％の範囲内の濃度で比例混合させるようにしたことを特徴とする水消火栓設備用付属の泡消火機器。
【発明の詳細な説明】
【技術分野】
【０００１】
本発明は、水消火栓設備の放水器具格納箱（消火栓箱）内に後付けで取り付けることにより、本来の水による消火に加えて、泡による消火も可能にする水消火栓設備用付属の泡消火機器に関するものである。
【背景技術】
【０００２】
従来のこの種の水消火栓設備用付属の泡消火機器は、例えば特開２００３−５２８４９号公報に示されるように水消火栓設備における放水器具格納箱内の消火栓（弁）の二次側に取り付け可能なプレッシャープロポーショナー方式混合器と、この混合器に接続可能でしかも前記放水器具格納箱内に後付けで収納可能な泡消火薬剤原液貯蔵圧力容器とからなり、前記混合器は消火栓使用時に、前記泡消火薬剤原液貯蔵圧力容器内の泡消火薬剤原液を水に対し、０．３〜２．０％の範囲内における一定値混合濃度に比例混合する機能を備えている。
【０００３】
これにより工場など一般的に水消火栓設備が設置されている建築物において、一般火災を中心とした消火のみならず、極低発砲の泡消火薬剤水溶液の噴霧放射をした場合に、油や溶剤など可燃性液体の火災に対しても効果的に消火活動を実施することができる。
【特許文献１】特開２００３−５２８４９号公報
【発明の開示】
【発明が解決しようとする課題】
【０００４】
解決しようとする問題は、従来のものは前記したように泡消火薬剤原液を貯蔵するために圧力容器が必要となるので、この種簡便な機器（追加ユニット）としては比較的低コストの全体的コストに占めるこの圧力容器のコストの比重が大きくなって全体的コストがアップするという点である。
【課題を解決するための手段】
【０００５】
請求項１の発明は、水消火栓設備における放水器具格納箱内の消火栓（弁）の二次側に取り付け可能なラインプロポーショナー混合器と、このラインプロポーショナー混合器内に設けた泡消火剤原液流入用オリフイスと、このオリフイスから導出したピックアップチューブと、このピックアップチューブにより前記ラインプロポーショナー混合器と接続可能でかつ前記放水器具格納箱内に後付けで収納可能な泡消火剤原液貯蔵容器とからなり、前記ラインプロポーショナー混合器は消火栓使用時に前記オリフイスにより負圧を生じさせて前記ピックアップチューブにより泡消火剤原液を水に対して０．５〜３．０％の範囲内の濃度で比例混合させるようにしたことを特徴とする。
【０００６】
請求項２の発明は、水消火栓設備における放水器具格納箱内の消火栓（弁）の二次側に取り付け可能な圧入プロポーショナー混合器と、この圧入プロポーショナー混合器内に設けた泡消火剤原液流入用オリフイスと、このオリフイスから導出したチューブと、このチューブにより前記圧入プロポーショナー混合器と接続可能でかつ前記放水器具格納箱内に後付けで収納可能な泡消火剤原液が加圧状態で貯蔵される蓄圧式消火器具とからなり、前記圧入プロポーショナー混合器は消火栓使用時に前記蓄圧式消火器具からの放出圧力を前記オリフイスにより制御して泡消火剤原液を水に対して０．５〜３．０％の範囲内の濃度で比例混合させるようにしたことを特徴とする。
【発明の効果】
【０００７】
請求項１の発明は、ラインプロポーショナー混合器とオリフイスとピックアップチューブとの構成とすることにより、高価な圧力容器でなく単なる貯蔵容器の使用が可能となって全体的なコストダウンが図れるという効果がある。
【０００８】
請求項２の発明は、圧入プロポーショナー混合器とオリフイスと蓄圧式消火器具との構成とすることにより、高価な圧力容器に代えて蓄圧式消火器具（市販の蓄圧式消火器の機器がそのまま使える）を中身の入れ換えのみで使えるようになって全体的なコストダウンが図れるという効果がある。
【発明を実施するための最良の形態】
【０００９】
水消火栓設備における放水器具格納箱内の消火栓（弁）の二次側に取り付け可能なラインプロポーショナー混合器と、このラインプロポーショナー混合器内に設けた泡消火剤原液流入用オリフイスと、このオリフイスから導出したピックアップチューブと、このピックアップチューブにより前記ラインプロポーショナー混合器と接続可能でかつ前記放水器具格納箱内に後付けで収納可能な泡消火剤原液貯蔵容器とを組み合わせることにより、実現した。
【実施例１】
【００１０】
請求項１の発明の一実施例を図１，図２について説明する。
図１は水消火栓設備の放水器具格納箱内を示す概略図、図２は図１のラインプロポーショナー混合器の内部を示す図である。
【００１１】
図において、１は放水器具格納箱（消火栓箱）２内に配備された消火栓（弁）、３は消火栓（弁）１の二次側に接続されかつ放水器具格納箱２内に格納されたホース、４はホース３の先端にあるノズル、５はホース３との間に介在させて消火栓（弁）１の二次側にカップリング６により着脱可能に取り付けたラインプロポーショナー混合器、７はラインプロポーショナー混合器５内に設けた泡消火剤原液流入用オリフイス、８は閉止弁９を介してオリフイス７から導出したピックアップチューブ、１０はピックアップチューブ８に接続されかつ放水器具格納箱２内に格納される泡消火剤原液貯蔵容器で、内部の泡消火剤原液量が見えるようにスリット窓１１が設けられている。
【００１２】
各図に示すように消火栓（弁）１の二次側にラインプロポーショナー混合器５を取り付けた状態で、消火栓（弁）１を開くと、水はラインプロポーショナー混合器５，ホース３を通ってノズル４から放水されるのであるが、その際オリフイス７付近に負圧が生じてピックアップチューブ８により泡消火剤原液貯蔵容器１０内の泡消火剤原液がラインプロポーショナー混合器５内に流入して、水に対して０．５〜３．０％の範囲内の濃度で比例混合されることにより、ノズル４からは泡放射となる。その際、泡消火剤原液貯蔵容器１０には圧力が加わらないので、泡消火剤原液貯蔵容器１０を圧力容器とする必要がない。
【００１３】
そして、閉止弁９を閉じれば、オリフイス７からの泡消火剤原液の流入がないので、ノズル４からは本来の放水となる。
【００１４】
このようにラインプロポーショナー混合器５を消火栓（弁）１の二次側に（ホース３との間に）取り付け可能としておくと、新設の水消火栓設備には勿論のこと、既設の水消火栓設備にも簡単に後付けして使用できる。よって、工場等で後発的に泡消火が必要となったときには効果的となる。
【実施例２】
【００１５】
請求項２の発明の一実施例を図３，図４について説明する。
図３は水消火栓設備の放水器具格納箱内を示す概略図、図４は図３の圧入プロポーショナー混合器の内部を示す図で、図中前記した実施例１のものと同一または相当部分には同一符号を付して説明を省略する。
【００１６】
図において、１２はホース３との間に介在させて消火栓（弁）１の二次側にカップリング６により着脱可能に取り付けた圧入プロポーショナー混合器、１３はオリフイス７の導出口に設けた閉止弁、１４は閉止弁１３にカップリング１５により着脱可能に接続したチューブ、１６はチューブ１４に接続されかつ放水器具格納箱２内に格納される蓄圧式消火器具で、市販の蓄圧式消火器の機器を中身を水性膜（Ｎ２加圧）に入れ換えるのみで使用できる。
【００１７】
各図に示すように消火栓（弁）１の二次側に圧入プロポーショナー混合器１２を取り付けた状態で、消火栓（弁）１を開くと、水は圧入プロポーショナー混合器１２，ホース３を通ってノズル４から放水されるのであるが、その際蓄圧式消火器具１６の起動押釦１７を押して蓄圧式消火器具１６内の泡消火剤原液を圧入プロポーショナー混合器１２内に圧入させ、オリフイス７により水に対して０．５〜３．０％の範囲内の濃度になるように定量に制御された泡消火剤原液が圧入プロポーショナー混合器１２内に比例混合されることにより、ノズル４からは泡放射となる。その際、蓄圧式消火器具１６内の蓄圧状態を圧力計１８により確認が必要であるし、原液残量の確認もできる。
【００１８】
本設備では、圧入プロポーショナー混合器１２をオリフイス７を用いて使用することにより、オリフイス７の部分で若干の負圧状態となるので、水がオリフイス７内から逆流することがなく、蓄圧式消火器具１６内の圧力によりチューブ１４を介して圧入プロポーショナー混合器１２に泡消火剤原液を流入させることが可能である。
【００１９】
そして、閉止弁１３を閉じれば、オリフイス７からの泡消火剤原液の流入がないので、ノズル４からは本来の放水となる。この状態で、カップリング１５により蓄圧式消火器具１６を着脱して蓄圧式消火器具１６の取り換えができる。なお、カップリング１５は蓄圧式消火器具１６のノズルに代えて取り付けておけば良い。
【００２０】
このように圧入プロポーショナー混合器１２を消火栓（弁）１の二次側に（ホース３との間に）取り付け可能としておくと、新設の水消火栓設備には勿論のこと、既設の水消火栓設備にも簡単に後付けして使用できる。よって、工場等で後発的に泡消火が必要となったときには効果的となる。
【産業上の利用可能性】
【００２１】
本発明は、水消火栓設備に広く活用できる。
【図面の簡単な説明】
【００２２】
【図１】本発明の実施例１を示すもので，水消火栓設備の放水器具格納箱内を示す概略図である。
【図２】図１のラインプロポーショナー混合器の内部を示す図である。
【図３】本発明の実施例２を示すもので，水消火栓設備の放水器具格納箱内を示す概略図である。
【図４】図３の圧入プロポーショナー混合器の内部を示す図である。
【符号の説明】
【００２３】
１：消火栓（弁）
２：放水器具格納箱
３：ホース
４：ノズル
５：ラインプロポーショナー混合器
６：カップリング
７：泡消火剤原液流入用オリフイス
８：ピックアップチューブ
９：閉止弁
１０：泡消火剤原液貯蔵容器
１１：スリット窓
１２：圧入プロポーショナー混合器
１３：閉止弁
１４：チューブ
１５：カップリング
１６：蓄圧式消火器具
１７：起動押釦
１８：圧力計
【図１】
2005218474.tif 000003
【図２】
2005218474.tif 000004
【図３】
2005218474.tif 000005
【図４】
2005218474.tif 000006